(57)【特許請求の範囲】
【請求項１】
足場パイプと、足場ブラケットと、作業床とを含む足場装置であって、
前記足場パイプは、少なくとも２つ直立して設けられると共に、それぞれは、互いに直交する方向に少なくとも２つのソケットを有しており、
前記足場ブラケットは、少なくとも２つであって、それぞれは前記足場パイプの前記ソケットの一方に掛け止められており、
前記作業床は、少なくとも１つであって、前記足場パイプの前記ソケットの他方に掛け止められる楔状掛止装置、及び、前記足場ブラケットに掛け止められるフック状掛止装置を有しており、
前記楔状掛止装置は、２つであって、前記作業床の両端で対向する端縁のそれぞれにおいて、互いに向かい合う位置に配置されており、
前記フック状掛止装置は、２つであって、前記作業床の両端で対向する端縁のそれぞれに配置されている、
足場装置。
【発明の詳細な説明】
【０００１】
【発明の属する分野】
本発明は、足場装置に関し、更に具体的には、足場立設に供される敷地面積が狭い場合でも対応可能な足場装置に係る。
【０００２】
【従来の技術】
建設工事においては、例えば、２つの建築物に挟まれた狭い領域、または、隣地境界と建築物との間に挟まれた幅の狭い領域に対しても、足場を設置しなければならないことがある。このような用途に適した足場としては、従来より、いわゆる「抱き足場」と称されるものが知られている。抱き足場は、縦パイプを隔てて２つの横パイプを、互いに平行に配置し、縦パイプ及び２つの横パイプを、３連クランプと称される固定手段によって固定する。作業者は、２つの横パイプ上を渡り歩く。この抱き足場は、その幅を、パイプ径の３倍よりも少し大きい値に抑えることができ、幅の狭い作業領域に対しても適応することができる。
【０００３】
しかし、抱き足場では、２つの横パイプ上を、横歩きしなければならない。このため、バランスを失ったり、滑ったりしやすく、作業者の安全性を確保できない。
【０００４】
また、抱き足場では、２つの横パイプの間の縦パイプを通過する際、縦パイプを芯にして、回り込むような横歩きをしなければならない。このため、縦パイプを通過する際に、バランスを失ったり、滑ったりし、最悪の場合には、墜落する危険性がある。
【０００５】
上記事故を回避し、作業者の安全性確保の観点から、作業床のない前記抱き足場の使用は、現在では原則禁止されている。
【０００６】
更に、縦パイプと、隣接する建築物との間の隙間が狭い場合には、作業員がこの隙間を通過することができないような事態を生じることもある。即ち、足場としての機能を確保できないこともある。
【０００７】
また、作業床の幅を縮小すれば、隣地境界と建築物との間に挟まれた幅の狭い領域に対しても、ある範囲では対応できる。しかし、従来、作業床に備えられたフック状掛止装置を、ブラケットに掛け止める構造であったため、作業床の外部に足場パイプが位置することになり、作業床の幅と、足場パイプの設置に要する面積とを加算した幅以下の狭い領域には、対応できなかった。
【０００８】
【発明が解決しようとする課題】
本発明の課題は、幅の狭い領域でも、安全な足場を構築し得る足場装置を提供することである。
【０００９】
本発明のもう一つの課題は、抱き足場と同程度の幅で、正常な歩行が可能な安全性の高い足場装置を提供することである。
【００１０】
【課題を解決するための手段】
上述した課題を解決するため、本発明に係る足場装置は、足場パイプと、足場ブラケットと、作業床とを含む。前記足場パイプは、少なくとも２つ直立して設けられると共に、それぞれは、互いに直交する少なくとも２つのソケットを有している。前記足場ブラケットは、少なくとも２つであって、それぞれは足場パイプの前記ソケットの一方に掛け止められる。
【００１１】
前記作業床は、少なくとも１つであって、前記足場パイプの前記ソケットの他方に掛け止められる掛止装置、及び、前記足場ブラケットに掛け止められる掛止装置を有する。
【００１２】
上述したように、足場パイプは、互いに直交する方向に少なくとも２つのソケットを有しており、足場ブラケットは、足場パイプのソケットの一方に掛け止められる。作業床は、足場パイプのソケットの他方に掛け止められる掛止装置、及び、足場ブラケットに掛け止められる掛止装置を有する。従って、作業床の幅が、部分的に、足場パイプの占有領域中に入り、その分だけ、占有面積が縮小する。このため、より狭小化された領域内にも、足場装置を立設することが可能になる。
【００１３】
足場パイプの設置位置が、従来の抱き足場と同じとすれば、作業床を、足場パイプの方向に拡大することができることになるから、より幅の広い作業床を用い、安全性を高めることができる。
【００１４】
作業床には、踏面板が備えられているから、作業員はこの踏面板の面上を、正常な歩行状態でわたり歩くことができる。従って、抱き足場と異なって、横歩き等の危険な歩行形態をとる必要がなくなるので、安全性が著しく向上する。
【００１５】
【発明の実施の形態】
図１は本発明に係る足場装置を一部破断して示す平面図、図２は本発明に係る足場装置を一部破断して示す正面図、図３は本発明に係る足場装置を一部破断して示す側面図である。これらの図は、足場装置の１スパンを抜き出して示すもので、足場装置は、実際には、建物の大きさに応じた多数スパンとして構成される。
【００１６】
図１〜図３に示された足場装置は、地面に立設して配置された２本の第１及び第２の足場パイプ１、２を含む。第１の足場パイプ１は、４つのソケット１１〜１４を有し、４つのソケット１１〜１４は、同一の高さ位置に設置される。同様に、第２の足場パイプ２は、４つのソケット２１〜２４を有し、４つのソケット２１〜２４は、同一の高さ位置において、ほぼ９０度の角度間隔で取り付けられている。第１及び第２の足場パイプ１、２は、第１の足場パイプ１のソケット１１と、第２の足場パイプ２のソケット２１とが、互いに対向するように設置される。
【００１７】
本発明に係る足場装置は、更に、第１の足場ブラケット３と、第２の足場ブラケット４とを含む。第１の足場ブラケット３は、主桿部３０と、楔状部３１を有し、楔状部３１は第１の足場パイプ１のソケット１２に挿入される。同様に、第２の足場ブラケット４は、主桿部４０と、楔状部４１を有し、楔状部４１は第２の足場パイプ２のソケット２２に挿入される。
【００１８】
本発明に係る足場装置は、更に、作業床５を少なくとも１つ含み、作業床５は、フレ−ム５０を有する。フレ−ム５０は、短縁５１、５２を有する。端縁５１と端縁５２とは、両端で対向している。短縁５１は、フック状掛止装置６１と楔状掛止装置６２とを有する。同様に、短縁５２は、フック状掛止装置７１と楔状掛止装置７２とを有する。フレ−ム５０の短縁５１に備えられたフック状掛止装置６１は、第１の足場ブラケット３の主桿部３０に掛止められる。楔状掛止装置６２は、第１の足場パイプ１のソケット１１に挿入される。同様に、フレ−ム５０の短縁５２に備えられたフック状掛止装置７１は、第２の足場ブラケット４の主桿部４０上に掛止められる。楔状掛止装置７２は、第２の足場パイプ２のソケット２１に挿入される。
【００１９】
作業床５は、更に、踏面板５５を含む。踏面板５５は、通常は溶接等の方法でフレ−ム５０に接続される。足場装置は、隣地境界と建築物との間等の限定的な作業空間において使用されることから、作業床５の幅Ｗ１１は、作業員がその上を移動し得る範囲で設定すればよい。幅Ｗ１１は、狭幅化を目的とした場合、例えば、１７０ｍｍ〜１９０ｍｍの範囲内に設定される。作業床５の長さは、第１及び第２の足場パイプ１、２の間の間隔に対応させる。作業床５は、伸縮可能な構造であってもよい。
【００２０】
また、楔状掛止装置６２がソケット１１に掛け止められる構造を有効に維持する限り、楔状掛止装置６２の設置箇所以外の作業床のフレ−ム短縁５１は、図１において、一点鎖線で表示するように、足場ブラケット３の方向に延長してもよい。
【００２１】
上述したように、第１及び第２の足場パイプ１、２は、互いに直交する方向に少なくとも２つのソケット（１１、１２）、（２１、２２）を有しており、第１及び第２の足場ブラケット３、４は、第１及び第２の足場パイプ１、２のソケット１２、２２に掛け止められる。作業床５は、第１及び第２の足場パイプ１、２のソケット１１、２１に掛け止められる楔状掛止装置６２、７２、及び、第１及び第２の足場ブラケット３、４に掛け止められるフック状掛止装置６１、７１を有する。従って、作業床５の幅Ｗ１１が、部分的に、第１及び第２の足場パイプ１、２の占有領域中に入り、その分だけ、足場装置としての占有面積が縮小する。このため、より狭小化された領域内にも、足場装置を立設することが可能になる。
【００２２】
例えば、図１において、第１及び第２の足場ブラケット３、４の先端部が建物への極限接近位置Ｌｏにあると仮定する。作業床５の端縁が、第１及び第２の足場ブラケット３、４の線端部と一致し、極限接近位置Ｌｏにあるとすると、第１及び第２の足場パイプ１、２の最外部位置Ｌ２は、極限接近位置Ｌｏを基準にして、作業床５の幅Ｗ１１と、作業床５の端縁から第１及び第２の足場パイプ１、２の最外部位置Ｌ２までの間隔Ｗ２１との和によって定まる位置に設定されることになる。
【００２３】
これに対して、第１及び第２の足場ブラケット３、４の主桿部３０、４０に、作業床５の掛止装置（６１、６２）、（７１、７２）を掛け止める従来技術の場合、図１の作業床５の配置状態を維持しようとすれば、第１及び第２の足場パイプ１、２は、実線表示の位置から、距離△Ｗ４１だけ外側に移動した図１の点線で示す位置に設置しなければならない。逆にいえば、本発明の構成によれば、従来技術に比較して、距離△Ｗ４１だけ内側に、第１及び第２の足場パイプ１、２を設置できることを意味し、従来より狭小化された領域内にも、足場装置を立設することが可能になる。
【００２４】
第１及び第２の足場パイプ１、２の設置位置が、図１の点線Ｌ１で示す従来の位置にあるとすれば、作業床５の幅Ｗ１１を、第１及び第２の足場パイプ１、２の方向に幅△Ｗ１２だけ拡大することができることになるから、より幅の広い作業床５を用い、安全性を高めることができる。
【００２５】
作業床５には、踏面板５５が備えられているから、作業員はこの踏面板５５の面上を、正常な歩行状態でわたり歩くことができる。従って、抱き足場と異なって、横歩き等の危険な歩行形態をとる必要がなくなるので、安全性が著しく向上する。
【００２６】
【発明の効果】
以上述べたように、本発明によれば、次のような効果を得ることができる。
（ａ）幅の狭い領域でも、安全な足場を構築し得る足場装置を提供することができる。
（ｂ）抱き足場と同程度の幅で、正常な歩行の可能な安全性の高い足場装置を提供することができる。
【図面の簡単な説明】
【図１】本発明に係る足場装置を一部破断して示す平面図である。
【図２】本発明に係る足場装置を一部破断して示す正面図である。
【図３】本発明に係る足場装置を一部破断して示す側面図である。
【符号の説明】
１、２                    足場パイプ
３、４、                  足場ブラケット
５                        作業床
【図１】
0003921373.tif 000002
【図２】
0003921373.tif 000003
【図３】
0003921373.tif 000004